【事件の表示】
　特願２０００−３９０６１８「運勢情報の提供方法」拒絶査定不服審判事件〔平成１４年　７月　２日出願公開、特開２００２−１８６７８０〕について、次のとおり審決する。
【結　論】
　本件審判の請求は、成り立たない。
【理　由】
１．手続の経緯
　本願は、平成１２年１２月２２日を出願日とする特願２０００−３９０６１８号であって、平成１６年１０月１９日付けで、平成１６年７月２１日付けの手続補正に対して補正却下の決定がなされ、同日付けで拒絶査定がなされ、これに対して平成１６年１１月２４日付けで審判請求がなされ、平成１６年１２月２４日付けで手続補正がなされたものである。　
　
２．平成１６年１２月２４日付けの手続補正についての補正却下の決定　
［補正却下の決定の結論］　
　平成１６年１２月２４日付けの手続補正を却下する。
［理由］　独立特許要件　
（１）補正後の本願発明　
　平成１６年１２月２４日付けの手続補正（以下、「本件補正」という。）により、特許請求の範囲は、　
「【請求項１】　ユーザデータを収容したデータベースと、占いの基礎データを収容したデータベースと、前記ユーザデータに基づき前記基礎データを読み出してホロスコープの法則に従いユーザ固有の占い結果を算出するコンピュータと、を備えたサーバを設け、　前記コンピュータが、内部タイマから現在の時刻を判断して所定の時刻になると、前記各データベースの前記ユーザデータ及び前記基礎データをアクセスし、これらのデータに基づいて現時点の該当するメッセージを前記基礎データから抽出し組み合わせて占い結果のメッセージを作成し、当該メッセージを前記サーバが該当ユーザの操作可能なクライアントへ配信するようにしたことを特徴とする運勢情報の提供方法。
　　【請求項２】　一定の時間間隔でコンピュータが占い結果を算出する請求項１記載の運勢情報の提供方法。
　　【請求項３】　サーバが配信を行う時刻を、ユーザがクライアントを通して設定する請求項１又は請求項２記載の運勢情報の提供方法。
　　【請求項４】　コンピュータが占い結果を算出する都度にサーバが配信を行う請求項１又は請求項２記載の運勢情報の提供方法。
　　【請求項５】　ユーザデータを収容したデータベースと、占いの基礎データを収容したデータベースと、前記ユーザデータに基づき前記基礎データを読み出してホロスコープの法則に従いユーザ固有の占い結果を算出するコンピュータと、を備えたサーバを設け
　前記コンピュータが、内部タイマを計測して所定の時間が経過すると、前記各データベースの前記ユーザデータ及び前記基礎データをアクセスし、これらのデータに基づいて現時点の該当するメッセージを前記基礎データから抽出し組み合わせて占い結果のメッセージを作成し、そして、当該メッセージの中に含まれる吉又は凶を示すセンテンスや文字を判断することにより当該メッセージが吉又は凶のいずれかに該当するかどうか判断し、該当する場合は、当該メッセージを前記サーバが該当ユーザの操作可能なクライアントへ配信するようにしたことを特徴とする運勢情報の提供方法。
　　【請求項６】　ユーザデータを収容したデータベースと、占いの基礎データを収容したデータベースと、前記ユーザデータに基づき前記基礎データを読み出してホロスコープの法則に従いユーザ固有の占い結果を算出するコンピュータと、を備えたサーバを設け、　移動体通信システムの端末機をユーザのクライアントとしてあり、前記サーバが前記移動体通信システムの交換局で管理されている前記クライアントの位置登録データを収集してセル間を移動したかどうかをチェックし、移動していれば、前記サーバが新しい位置データを前記ユーザデータに追加するとともに前記コンピュータが前記各データベースの前記ユーザデータ及び前記基礎データをアクセスし、これらのデータに基づいて前記コンピュータが現時点の該当するメッセージを前記基礎データから抽出し組み合わせて占い結果のメッセージを作成し、当該メッセージを前記サーバが前記クライアントへ配信するようにしたことを特徴とする運勢情報の提供方法。
　　【請求項７】　ユーザデータを収容したデータベースと、占いの基礎データを収容したデータベースと、前記ユーザデータに基づき前記基礎データを読み出してホロスコープの法則に従いユーザ固有の占い結果を算出するコンピュータと、を備えたサーバを設け、　移動体通信システムのＧＰＳ受信機能付端末機をユーザのクライアントとしてあり、該クライアントにより前記ＧＰＳ受信機能に従う現在のユーザ位置データが前記サーバへ送られ、該ユーザ位置データに変化があれば、該サーバが前記ユーザ位置データを前記ユーザデータに追加するとともに前記コンピュータが前記各データベースの前記ユーザデータ及び前記基礎データをアクセスし、これらのデータに基づいて前記コンピュータが現時点の該当するメッセージを前記基礎データから抽出し組み合わせて占い結果のメッセージを作成し、当該メッセージを前記サーバが前記クライアントへ配信するようにしたことを特徴とする運勢情報の提供方法。
　　【請求項８】　コンピュータが、クライアントの移動したセル間隔を判断してユーザの位置が所定の距離以上変化したときに占い結果を算出する請求項６記載の運勢情報の提供方法。
　　【請求項９】　コンピュータが、クライアントの直線移動距離又は緯度及び経度に係る距離を判断してユーザの位置が所定の距離以上変化したときに占い結果を算出する請求項７記載の運勢情報の提供方法。
　　【請求項１０】　ユーザの位置が所定の距離以上変化したときにコンピュータが占い結果を算出し、その占い結果の算出の都度にサーバが当該占い結果の配信を行う請求項８又は請求項９記載の運勢情報の提供方法。
　　【請求項１１】　ユーザの位置が所定の距離以上変化したときにコンピュータが占い結果を算出し、その占い結果のメッセージの中に含まれている吉又は凶を示すセンテンスや文字が前の位置のときよりも多くなっているかどうか前記コンピュータが判断して吉又は凶の方向へ進んでいるときに、サーバが当該占い結果の配信を行う請求項８又は請求項９記載の運勢情報の提供方法。
　　【請求項１２】　ユーザの位置が所定の距離以上変化したときに前の位置に対する方角をコンピュータが検出するとともに前の位置で算出された占い結果中の吉又は凶とされている方角をピックアップし、前記検出した前の位置に対する方角が吉又は凶の方角に該当すると該コンピュータが判断したときに、サーバが、現在進んでいる方角が吉又は凶であること伝える伝言の配信を行う請求項８又は請求項９記載の運勢情報の提供方法。
　　【請求項１３】　ホロスコープにおけるハウス、星、星座の組み合わせ方及び星や星座の意味の度数の付け方に関する特定の占い師の特徴データを収録したデータベースをさらに備え、コンピュータが占い結果を算出する際に、前記特徴データに従ってホロスコープの法則を変化させる請求項１〜１２のいずれか１項に記載の運勢情報の提供方法。
　　【請求項１４】　占い結果を音声再生してサーバがクライアントへ配信するか、又は、音声データとした占い結果をサーバが配信して該音声データをクライアントが音声に再生する請求項１〜１３のいずれか１項に記載の運勢情報の提供方法。
　　【請求項１５】　データベースに収容した特定のキャラクタに関する声やしゃべり方の特徴データに従って再生が行われる請求項１４記載の運勢情報の提供方法。
　　【請求項１６】　算出された占い結果を基にコンピュータがデータベースから相性のよい他のユーザデータを検索し、この検索により抽出された好相性ユーザの連絡先データがあればこれをサーバがクライアントへ配信するようにしてある請求項１〜１５のいずれか１項に記載の運勢情報の提供方法。」　
から、　
「【請求項１】　ユーザデータを収容したデータベースと、占いの基礎データを収容したデータベースと、前記ユーザデータに基づき前記基礎データを読み出してホロスコープの法則に従いユーザ固有の占い結果を算出するコンピュータと、を備えたサーバを設け、
　前記コンピュータが、内部タイマから現在の時刻を判断して所定の時刻になると、前記各データベースの前記ユーザデータ及び前記基礎データをアクセスし、これらのデータに基づいて現時点の該当するメッセージを前記基礎データから抽出し組み合わせて占い結果のメッセージを作成し、当該メッセージを前記サーバが該当ユーザの操作可能なクライアントへ配信するようにしたことを特徴とする運勢情報の提供方法。
　　【請求項２】　一定の時間間隔でコンピュータが占い結果を算出する請求項１記載の運勢情報の提供方法。
　　【請求項３】　サーバが配信を行う時刻を、ユーザがクライアントを通して設定する請求項１又は請求項２記載の運勢情報の提供方法。
　　【請求項４】　コンピュータが占い結果を算出する都度にサーバが配信を行う請求項１又は請求項２記載の運勢情報の提供方法。
　　【請求項５】　ユーザデータを収容したデータベースと、占いの基礎データを収容したデータベースと、前記ユーザデータに基づき前記基礎データを読み出してホロスコープの法則に従いユーザ固有の占い結果を算出するコンピュータと、を備えたサーバを設け、　前記コンピュータが、内部タイマを計測して所定の時間が経過すると、前記各データベースの前記ユーザデータ及び前記基礎データをアクセスし、これらのデータに基づいて現時点の該当するメッセージを前記基礎データから抽出し組み合わせて占い結果のメッセージを作成し、そして、当該メッセージの中に含まれる吉又は凶を示すセンテンスや文字を判断することにより当該メッセージが吉又は凶のいずれかに該当するかどうか判断し、該当する場合は、当該メッセージを前記サーバが該当ユーザの操作可能なクライアントへ配信するようにしたことを特徴とする運勢情報の提供方法。
　　【請求項６】　ユーザデータを収容したデータベースと、占いの基礎データを収容したデータベースと、前記ユーザデータに基づき前記基礎データを読み出してホロスコープの法則に従いユーザ固有の占い結果を算出するコンピュータと、を備えたサーバを設け、　移動体通信システムの端末機をユーザのクライアントとしてあり、前記サーバが前記移                                                                             動体通信システムの交換局で管理されている前記クライアントの位置登録データを収集してセル間を移動したかどうかをチェックし、移動していれば、前記サーバが新しい位置データを前記ユーザデータに追加するとともに前記コンピュータが前記各データベースの前記ユーザデータ及び前記基礎データをアクセスし、これらのデータに基づいて前記コンピュータが、前記クライアントの移動したセル間隔を判断してユーザの位置が所定の距離以上変化したときに現時点の該当するメッセージを前記基礎データから抽出し組み合わせて占い結果のメッセージを作成し、その占い結果のメッセージの中に含まれている吉又は凶を示すセンテンスや文字が前の位置のときよりも多くなっているかどうか前記コンピュータが判断して吉又は凶の方向へ進んでいるときに、当該メッセージを前記サーバが前記クライアントへ配信するようにしたことを特徴とする運勢情報の提供方法。
　　【請求項７】　ユーザの位置が所定の距離以上変化したときに前の位置に対する方角をコンピュータが検出するとともに前の位置で算出された占い結果中の吉又は凶とされている方角をピックアップし、前記検出した前の位置に対する方角が吉又は凶の方角に該当すると該コンピュータが判断したときに、サーバが、現在進んでいる方角が吉又は凶であること伝える伝言の配信を行う請求項６記載の運勢情報の提供方法。
　　【請求項８】　ユーザデータを収容したデータベースと、占いの基礎データを収容したデータベースと、前記ユーザデータに基づき前記基礎データを読み出してホロスコープの法則に従いユーザ固有の占い結果を算出するコンピュータと、を備えたサーバを設け、　移動体通信システムの端末機をユーザのクライアントとしてあり、前記サーバが前記移動体通信システムの交換局で管理されている前記クライアントの位置登録データを収集してセル間を移動したかどうかをチェックし、移動していれば、前記サーバが新しい位置データを前記ユーザデータに追加するとともに前記コンピュータが前記各データベースの前記ユーザデータ及び前記基礎データをアクセスし、これらのデータに基づいて前記コンピュータが、前記クライアントの移動したセル間隔を判断してユーザの位置が所定の距離以上変化したときに現時点の該当するメッセージを前記基礎データから抽出し組み合わせて占い結果のメッセージを作成するようになっており、そして、そのユーザの位置が所定の
距離以上変化したときに前の位置に対する方角を前記コンピュータが検出するとともに前の位置で算出された前記占い結果中の吉又は凶とされている方角をピックアップし、前記検出した前の位置に対する方角が吉又は凶の方角に該当すると該コンピュータが判断したときに、前記サーバが前記クライアントへ、現在進んでいる方角が吉又は凶であること伝える伝言の配信を行うようにしたことを特徴とする運勢情報の提供方法。
　　【請求項９】　ユーザデータを収容したデータベースと、占いの基礎データを収容したデータベースと、前記ユーザデータに基づき前記基礎データを読み出してホロスコープの法則に従いユーザ固有の占い結果を算出するコンピュータと、を備えたサーバを設け、　移動体通信システムのＧＰＳ受信機能付端末機をユーザのクライアントとしてあり、該クライアントにより前記ＧＰＳ受信機能に従う現在のユーザ位置データが前記サーバへ送られ、該ユーザ位置データに変化があれば、該サーバが前記ユーザ位置データを前記ユーザデータに追加するとともに前記コンピュータが前記各データベースの前記ユーザデータ及び前記基礎データをアクセスし、これらのデータに基づいて前記コンピュータが、前記クライアントの直線移動距離又は緯度及び経度に係る距離を判断してユーザの位置が所定の距離以上変化したときに現時点の該当するメッセージを前記基礎データから抽出し組み合わせて占い結果のメッセージを作成し、その占い結果のメッセージの中に含まれている吉又は凶を示すセンテンスや文字が前の位置のときよりも多くなっているかどうか前記コンピュータが判断して吉又は凶の方向へ進んでいるときに、当該メッセージを前記サーバが前記クライアントへ配信するようにしたことを特徴とする運勢情報の提供方法。
　　【請求項１０】　ユーザの位置が所定の距離以上変化したときに前の位置に対する方角をコンピュータが検出するとともに前の位置で算出された占い結果中の吉又は凶とされている方角をピックアップし、前記検出した前の位置に対する方角が吉又は凶の方角に該当すると該コンピュータが判断したときに、サーバが、現在進んでいる方角が吉又は凶であること伝える伝言の配信を行う請求項９記載の運勢情報の提供方法。
　　【請求項１１】　ユーザデータを収容したデータベースと、占いの基礎データを収容したデータベースと、前記ユーザデータに基づき前記基礎データを読み出してホロスコープの法則に従いユーザ固有の占い結果を算出するコンピュータと、を備えたサーバを設け、　移動体通信システムのＧＰＳ受信機能付端末機をユーザのクライアントとしてあり、該クライアントにより前記ＧＰＳ受信機能に従う現在のユーザ位置データが前記サーバへ送られ、該ユーザ位置データに変化があれば、該サーバが前記ユーザ位置データを前記ユーザデータに追加するとともに前記コンピュータが前記各データベースの前記ユーザデータ及び前記基礎データをアクセスし、これらのデータに基づいて前記コンピュータが、前記クライアントの直線移動距離又は緯度及び経度に係る距離を判断してユーザの位置が所定の距離以上変化したときに現時点の該当するメッセージを前記基礎データから抽出し組み合わせて占い結果のメッセージを作成するようになっており、そして、そのユーザの位置が所定の距離以上変化したときに前の位置に対する方角を前記コンピュータが検出するとともに前の位置で算出された前記占い結果中の吉又は凶とされている方角をピックアップし、前記検出した前の位置に対する方角が吉又は凶の方角に該当すると該コンピュータが判断したときに、前記サーバが前記クライアントへ、現在進んでいる方角が吉又は凶であること伝える伝言の配信を行うようにしたことを特徴とする運勢情報の提供方法。
　　【請求項１２】　ホロスコープにおけるハウス、星、星座の組み合わせ方及び星や星座の意味の度数の付け方に関する特定の占い師の特徴データを収録したデータベースをさらに備え、コンピュータが占い結果を算出する際に、前記特徴データに従ってホロスコープの法則を変化させる請求項１〜１１のいずれか１項に記載の運勢情報の提供方法。
　　【請求項１３】　占い結果を音声再生してサーバがクライアントへ配信するか、又は、音声データとした占い結果をサーバが配信して該音声データをクライアントが音声に再生する請求項１〜１２のいずれか１項に記載の運勢情報の提供方法。
　　【請求項１４】　データベースに収容した特定のキャラクタに関する声やしゃべり方の特徴データに従って再生が行われる請求項１３記載の運勢情報の提供方法。
　　【請求項１５】　算出された占い結果を基にコンピュータがデータベースから相性のよい他のユーザデータを検索し、この検索により抽出された好相性ユーザの連絡先データがあればこれをサーバがクライアントへ配信するようにしてある請求項１〜１４のいずれか１項に記載の運勢情報の提供方法。」　
と補正された。　
　
　上記補正は、　
1)本件補正後の請求項６（以下、「新請求項６」、のように記載する）に関して：　
　本件補正前の請求項６（以下、「旧請求項６」、のように記載する）を引用する旧請求項８の発明特定事項に関し、旧請求項１１の発明特定事項を付加するものであって、限定的減縮に該当する補正である。　
2)新請求項７に関して：　
　新請求項７の発明特定事項は、引用する請求項の番号が異なることを除き、旧請求項１２の発明特定事項と同じである。　
　そして、旧請求項１２が引用していた旧請求項８が、本件補正によって新請求項６に組み入れられたことに伴い、引用する請求項の番号が変更された補正である。　
3)新請求項８に関して　
　旧請求項６を引用する旧請求項８に係る発明に対し、旧請求項１２に係る発明特定事項を付加するものであって、限定的減縮に該当する補正である。　
4)新請求項９に関して　
　旧請求項７を引用する旧請求項９に関し、旧請求項１１の発明特定事項を付加するものであって、限定的減縮に該当する補正である。　
5)新請求項１０に関して　
　新請求項１０の発明特定事項は、引用する請求項の番号が異なることを除き、旧請求項１２の発明特定事項と同じである。　
　そして、旧請求項１２が引用していた旧請求項９が、本件補正によって新請求項７に組み入れたれたことに伴い、引用する請求項の番号が変更された補正である。　
6)新請求項１１に関して　
　旧請求項７を引用する旧請求項９に係る発明に対し、旧請求項１２に係る発明特定事項を付加するものであって、限定的減縮に該当する補正である。　
7)新請求項１２〜新請求項１５に関して　
　新請求項１２〜新請求項１５のそれぞれの発明特定事項は、それぞれ旧請求項１３〜旧請求項１６と同じであるが、本件補正に伴い、新請求項１３〜新請求項１５において、引用する請求項の番号を変更する補正が行われた。　
　なお、新請求項１〜５は、旧請求項１〜５と同一内容である（補正なし）。　
　
　上記1)〜7)より、本件補正は、「特許請求の範囲」全体について減縮が行われているものであり、特許法第１７条の２第４項第２号に規定する特許請求の範囲の減縮を目的とする補正に該当する。　
（特許法第１７条の２第４項第２号において問題とされているのは、「特許請求の範囲」全体について減縮があったか否かであり、「特許請求の範囲」全体に減縮があれば、特許法第１７条の２第５項により、「特許請求の範囲に記載されている事項により構成される発明」について独立特許要件の判断が必要となるものと解される［知財高裁判決　平成１８年２月１６日言渡　平成１７年（行ケ）第１０２６６号参照］。）　
　そこで、本件補正後の請求項１に係る発明（以下、「本願補正発明」という）が特許出願の際独立して特許受けることができるものであるか否か（特許法第１７条の２第５項において準用する特許法第１２６条第５項の規定に適合するか）について検討する。　
　
（２）刊行物　
　原査定の拒絶の理由に引用され、本願の出願前に頒布された刊行物である特開２０００−３３９３７９号公報（以下、引用例１という。）には、以下の点が記載されている。　
　
［記載事項１］　
「【請求項２】運勢を知るに必要な諸データに関する運勢データファイル(11)と、保険処理に必要な諸データに関する保険データファイル(12)とを備え、かつ保険業務の演算、記録、管理等の処理を行うためのホスト側コンピュータ(1) と、
そのホスト側コンピュータ(1) との間でアップロードおよびダウンロードを行うための端末装置であって、運勢判断に必要な利用者の個人情報を入力するための運勢判断用個人情報入力画面手段(21)と、占いの種類を入力するための占い種類入力画面手段(22)と、それらの個人情報および占いの種類に基く利用者の運勢情報を表示する運勢情報表示画面手段(23)と、その運勢情報に対応する保険情報を表示する保険情報表示画面手段(24)と、その保険情報に基き保険加入期間を設定する保険加入期間入力画面手段(25)と、他の保険加入に必要な保険条件を設定するための保険条件入力画面手段(26)と、他の保険加入に必要な個人情報を入力するための保険加入用個人情報入力画面手段(27)とを備えた利用者側端末装置(2)とからなることを特徴とする運勢連動型保険処理システム。」　
　
［記載事項２］　
「【００２０】〈占い、運勢〉ホスト側コンピュータ(1)の運勢データファイル(11)には、運勢を知るに必要な諸データ、すなわち占いの種類やそれに対応する運勢などの諸データが蓄積され、利用者側端末装置(2)により引き出し可能となっている。
・・・（中略）・・・　
【００２６】（ロ）占星術
東洋占星術や西洋占星術により運勢を知ろうとする試みは古くからなされている。占星術には多種のものがあるが、本発明においてはこの占星術を占いの種類、運勢データとして利用できる。」　
　
［記載事項３］　
「【００５０】実施例１
図１は本発明の運勢連動型保険処理システムの装置構成の一例を示した説明図である。図２は図１の装置により実行される処理の一例を示したフロー図である。
【００５１】図１に示したように、本発明における装置は、ホスト側コンピュータ(1)と利用者側端末装置(2)とで構成されている。利用者側端末装置(2)は、上記のホスト側コンピュータ(1)との間で、アップロードおよびダウンロードを行う。
【００５２】ホスト側コンピュータ(1)は、運勢を知るに必要な諸データ（占いの種類やそれに対応する運勢データ）に関する運勢データファイル(11)と、保険処理に必要な諸データが集録された保険データファイル(12)とを備えている。またホスト側コンピュータ(1)は、保険業務の演算、記録、管理等の処理を行う機能を有している。
【００５３】利用者側端末装置(2)は、次の手段を備えている。
１．運勢判断に必要な利用者の個人情報（氏名、生年月日、性別、血液型等）を入力するための運勢判断用個人情報入力画面手段(21)。
２．占いの種類（暦上の吉凶、東洋占星術、西洋占星術、生年月日に基く個人のバイオリズム、血液型占い、姓名判断、四柱推命等）を入力するための占い種類入力画面手段(22)。
３．それらの個人情報および占いの種類に基く利用者の運勢情報を表示する運勢情報表示画面手段(23)、その運勢情報に対応する保険情報を表示する保険情報表示画面手段(24)、および、その保険情報に基き保険加入期間を設定する保険加入期間入力画面手段(25)。これらについては、後の実施例２〜４で具体例をあげる。
・・・（中略）・・・　
【００５４】操作の一例を次に示す。
１．インターネットを利用して、ホスト側コンピュータ(1)を有する保険会社側（保険会社またはその代理店）のホームページを開く。
２．占い種類入力画面手段(22)により、暦上の吉凶、東洋占星術、西洋占星術、生年月日に基く個人のバイオリズム、血液型占い、姓名判断、四柱推命等占いの種類を選択して入力する。もし必要なら、たとえば向こう１年間というように、占いの期間も選択できるようにする。
３．運勢判断用個人情報入力画面手段(21)により、運勢を知るに必要な利用者の氏名、生年月日、性別、血液型等の情報を入力または選択する。写真、手形、指紋などが必要な場合には、画像入力装置を利用して入力を行う。この操作は先の２の前に行うこともできる。
４．上記操作により、運勢情報表示画面手段(23)には、上記の個人情報および占いの種類に基く利用者の運勢情報がデータや図形として表示され、保険情報表示画面手段(24)には、その運勢情報に対応する保険情報が表示され、保険加入期間入力画面手段(25)には、その保険情報に基く保険加入期間を設定する画面が表示される（この画面には、期間を簡単に選択できるような選択肢を併せ表示しておく）。」　
　
［記載事項４］　
「【００５９】実施例５
利用者側端末装置(2) として携帯通信装置を用いた場合の契約までのプロセスの一例を、簡単化して次に示す。このうち１４以降は、後処理工程である。
１．占いサイトへのアクセス
２．占いの選択
３．個人データの入力（アドレスを含む）
４．占い文章表示
５．上記４の内容をグラフ表示（グラフにより、リスクの高い年、月、週、日を強調表示）」　
　
［記載事項５］　
「【００６２】保険加入を自らに希望で行うので、いわゆる義理加入のようなマイナスの感情を持たず、また操作して保険に加入しない場合でも、占いを楽しめるので保険制度が身近となり、また別の機会に保険に対する抵抗感がなくなるので、保険会社にとっても長期的にはプラスになる。しかも保険会社にとっては、従来の保険勧誘ルートとは別の動機で保険に入る人が増えるので、既存のルートによる保険加入が減少する危険が少ない。」　
　
　［記載事項１］、［記載事項３］及び【図１】の記載より、ホスト側コンピュータ（１）は、運勢データファイル（１１）を備えるものであって、利用者側端末装置（２）との間で情報のアップロード、ダウンロードを行うものであるから、利用者側端末装置（２）とホスト側コンピュータ（１）との間で情報を配信するシステムを有していることがわかる。　
　そして、前記ホスト側コンピュータ（１）は、利用者側端末装置（２）からアクセスがあると、占いの種類の入力及び個人情報の入力に応じて、利用者の運勢情報を利用者側端末装置（２）の運勢情報表示画面手段（２３）に表示させているから、個人情報に基づき運勢データファイル（１１）の諸データ、つまり運勢データを引き出し、占いの種類に応じた占い結果を算出するものであるといえる。　
　
　［記載事項２］、［記載事項３］、［記載事項４］及び【図３】、【図５】の記載より、個人情報及び占いの種類に基づく利用者の運勢情報がデータや図形、文章として表示されることがわかる。　
　そして、【図３】、【図５】に記載されている「あなたの運勢　2000年（平成12年）1月〜12月」、及び「あなたのバイオリズム・チャート［身体リズム］（1999年1月〜2020年12月）」で示される運勢情報は運勢データを組み合わせて作成されていることは明らかである。また、［記載事項３］より、占いの期間は例えば「向こう１年間」というように、現在を含んだ運勢情報であるといえる。　
　
　［記載事項５］には、保険に加入しない場合でも占いを楽しめることが記載されているから、［記載事項１］の運勢連動型保険処理システムは、運勢連動型処理システムといえる。　
　
　したがって、上記記載事項を参照すれば、引用例１には、
「運勢を知るに必要な諸データが蓄積された運勢データファイル（１１）を備え、利用者側端末装置（２）から個人データを入力することで運勢データファイル（１１）の運勢データから占い結果を算出するホスト側コンピュータ（１）を設け、利用者側端末装置（２）から個人データを入力すると、ホスト側コンピュータ（１）内の運勢データファイル（１１）にアクセスし、入力された個人情報及び占いの種類に基づく利用者の現在の運勢データを引き出し、組み合わせて、現在を含んだ運勢情報を作成し、利用者側端末装置（２）へ配信し、運勢情報表示画面手段（２３）において、作成した現在を含んだ運勢情報の文章表示及びグラフ表示を行う、運勢連動型処理システム。」の発明（以下、「引用発明１」という。）が記載されている。　
　
　さらに、本願の出願前に頒布された刊行物である特開２０００−２０７３３９号公報（以下、引用例２という。）には、以下の点が記載されている。　
　
［記載事項６］　
「【０００７】以上、説明したように、従来では、情報を配信する場合には上記異なる３種のソフトウェアプログラムを手動で起動し、また、情報収集、文書編集、同報通信（配信）のための手作業による操作を多数回、実行しなければならない。
【０００８】そこで、本発明の目的は、情報集、編集、配信に係わる手動操作をできる限り、自動化することの可能な情報サービスシステムおよび方法を提供することにある。」　
　
［記載事項７］　
「【００１２】図１は本発明を適用した情報サービスシステムのシステム構成を示す。図１において、１は情報を収集し、顧客のクライアント３に情報を配信するサーバ（以下、収集サーバ）である。２は従来と同様の情報提供サーバである。３は収集サーバから情報の配信を受ける従来と同様の複数のクライアントである。これら収集サーバ１、情報提供サーバ２およびクライアント３はインターネットのような広域通信ネットワーク４に接続されている。」　
　
［記載事項８］　
「【００１６】次に本実施形態の収集サーバ１による情報の収集、編集、配信の処理を図３および図４のフローチャートを参照して説明する。
【００１７】図３および図４に示す処理手順は、収集サーバ１のＣＰＵが実行可能なプログラムでハードディスクに記憶されている。このプログラムは収集サーバ１に電源が投入されている間は常に実行されている。図３はプログラムのメイン処理手順を示し、図４は編集モードの処理手順を示す。
【００１８】図３において、通常は、ステップＳ１０〜Ｓ４０のループ処理が繰り返し実行される。ステップＳ１０では、現在の時刻が、予め設定されている（「予め設定されてい」は誤記と認める）収集時刻になったか否かを判定する。ステップＳ２０では収集情報の編集の指示があったかを否かを判定する。このファイルメニューの中の編集コマンドがマウスにより指定されたときに、編集の指示イベントが発生する。
【００１９】ステップＳ３０では、現在の時刻が予め設定されている配信時刻になったか否かを判定する。ステップＳ４０では、配信先の登録、変更、配信時刻等の設定、情報集先の登録，変更、収集時刻等の設定を受け付ける。
【００２０】このループ処理を繰り返すと、たとえば、午前０時の情報収集時刻になると、ＣＰＵは従来と同様の情報収集用プログラム（購読あるいは巡回サービスと呼ばれる通信プログラム）を自動起動して、予め設定されている情報収集先にアクセスして新規情報をダウンロード（取り込み）する。ダウンロードされた情報は、ハードディスク内の特定の記憶領域（収集情報記憶領域）に記憶される（ステップＳ１０→Ｓ１１→Ｓ１２）。
【００２１】また、午前１２時の配信時刻になると、ＣＰＵはハードディスク内の特定記憶領域（配信情報記憶領域）に保存されている編集済み文書（後述）を予め設定されている配信先にメールする（ステップＳ３１）。メールする文書は、予め用意されている定型文に、編集済みの文書を添付（ＭＩＭＥとも呼ばれる）する。
【００２２】以上述べたように、情報収集と、情報の配信は予め定められた時刻に行われ、この２つの処理（ジョブ）は１つのタスク（情報処理）の中で実行される点が従来と異なる。」　
　
［記載事項９］　
「【００２９】２）上述の例では編集作業は手作業で行う例を示したが、収集情報がその書式予め定められている場合には、編集処理をも自動化してもよい。この場合には、編集命令をマクロ命令により規定することができる。」　
　
　上記［記載事項６］〜［記載事項９］及び図面（特に【図３】参照）の記載から収集サーバ１はコンピュータを含むこと、及び情報提供サーバ２がデータベースを形成していることは明らかであり、また、現在の時刻が配信時刻かどうか判断してメールを配信する処理を行っていることから、内部にタイマが設けられていることも自明である。　
　
　したがって、上記［記載事項６］〜［記載事項９］及び【図３】、【図４】の記載を参照すれば、引用例２には、　
「収集サーバ１のコンピュータのＣＰＵが実行可能なプログラムで、現在の時刻が、コンピュータ内のタイマにより予め設定されている収集時刻になると、ＣＰＵが情報収集プログラムを自動起動して、データベースである情報提供サーバ２にアクセスして新規情報を取り込んで保存し、さらに編集作業を行った上で、現在の時刻が、予め設定されている配信時刻になると、編集済み文書を予め設定されている配信先にメールする、というループ処理を繰り返す、情報サービス方法。」の発明（以下、「引用発明２」という。）が記載されている。　
　
（３）対比
　本願補正発明と引用発明１とを比較する。　
　引用発明１の「個人データ」は、本願補正発明の「ユーザデータ」に相当する。同様に、「運勢を知るに必要な諸データ」及び「運勢データ」は「占いの基礎データ」に、「運勢を知るに必要な諸データが蓄積された運勢データファイル（１１）」は「占いの基礎データを収容したデータベース」に、「現在を含んだ運勢情報」は「現時点の該当するメッセージ」に、「運勢情報の文章表示及びグラフ表示」は「占い結果のメッセージ」に、「利用者」は「該当ユーザ」に、「利用者側端末装置（２）」は「該当ユーザの操作可能なクライアント」に相当する。　
　そして、引用発明１の「運勢を知るに必要な諸データが蓄積された運勢データファイル（１１）」には、占いの種類として西洋占星術も搭載されており（［記載事項２］、［記載事項３］等参照）、西洋占星術において、利用者の生年月日等から利用者固有のホロスコープを作成し、作成したホロスコープのデータを用いて利用者の運勢情報を算出することは通常採用される手法であるから、引用発明１の「個人データを入力することで運勢データファイル（１１）の運勢データを引き出し利用者の運勢情報を作成するホスト側コンピュータ（１）」は、本願補正発明の「ユーザデータに基づき前記基礎データを読み出してホロスコープの法則に従いユーザ固有の占い結果を算出するコンピュータ」に相当する。　
　また、引用発明１の「運勢連動型処理システム」では、作成した運勢情報を利用者側端末装置（２）に配信し、運勢情報表示画面手段（２３）において、運勢情報を提供しているから、運勢情報を提供する方法も含むものであるといえる。したがって、引用発明１の「運勢連動型処理システム」は本願補正発明の「運勢情報の提供方法」に対応する。　
　
　したがって、本願補正発明と引用発明１とは、　
「占いの基礎データを収容したデータベースと、ユーザデータに基づき前記基礎データを読みだしてホロスコープの法則に従いユーザ固有の占い結果を算出するコンピュータとを設け、　
　前記コンピュータが前記ユーザデータ及び前記データベースの基礎データをアクセスし、これらのデータに基づいて現時点の該当するメッセージを前記基礎データから抽出し組み合わせて占い結果のメッセージを作成し、当該メッセージを該当ユーザの操作可能なクライアントへ配信するようにした運勢情報の提供方法。」　
である点で一致し、以下の点で相違している。　
　
［相違点１］　
　「ユーザデータ」が本願補正発明では「データベース」に収容されているのに対し、引用発明１は利用者が入力するものであって、データベースに収容されたユーザデータでない点。　
［相違点２］　
　本願補正発明では「サーバ」が設けられているのに対し、引用発明１ではサーバについて記載がない点。　
［相違点３］　
　「占い結果のメッセージを作成し、当該メッセージを該当ユーザの操作可能なクライアントへ配信する」方法が、本願補正発明は「前記コンピュータが、内部タイマから現在の時刻を判断して所定の時刻になると、前記各データベースの前記ユーザデータ及び前記基礎データをアクセス」して作成、配信するものであるのに対し、引用発明１ではそのような限定がない点。　
［相違点４］　
　「該当ユーザの操作可能なクライアントへ配信」するのが、本願補正発明は「サーバ」であるのに対し、引用発明１にはそのような限定がない点。　
　
（４）当審の判断　
　上記［相違点１］〜［相違点４］について検討する。
　［相違点１］について　
　「データ」を集めて「データベース」を構築することは広く行われている技術事項であるから、必要に応じて、「ユーザデータ」をデータベース化することは、当業者が適宜行い得る設計変更である。　
　したがって、相違点１に係る発明特定事項は、格別ではない。
　
　［相違点２］及び［相違点４］について　
　「サーバ」とは、一般的に、コンピュータネットワークにおいて、サービスを提供するコンピュータシステムのことを指すものであり、また、「クライアント」と対になる概念である。　
　引用発明１に、「ホスト側コンピュータ（１）」とあるように、引用発明１の「運勢データベース（１１）」及び「ホスト側コンピュータ（１）」は、ホストと呼ばれるコンピュータシステムを構成することは明らかであり、該当ユーザの操作可能なクライアントである利用者側端末装置（２）に対してサービスである占い結果を配信、提供していることも明らかである。　
　したがって、引用発明１も、本願補正発明同様、「サーバ」に相当する構成を備えるものであり、「該当ユーザの操作可能なクライアントへ配信」する操作も「サーバ」に相当する構成によって行われていることは明かである。　
　したがって、本願補正発明の相違点２及び相違点４に係る発明特定事項は、引用発明１に実質的に記載されたものである。　
　
　［相違点３］について　
　引用例２には、引用発明２として、コンピュータが、コンピュータ内部のタイマから現在の時刻を判断して所定の時刻になると、データベースに自動的にアクセスして新規情報を取り込み、文書を編集し、配信する、情報サービス方法が記載されている。　
　そもそも、占いの配信サービスは周知技術であり、配信の具体的手法は引用発明２に記載されているから、引用発明１の「現在を含んだ運勢情報」を作成し、利用者側端末装置（２）に配信する方法として、引用発明２に記載の情報サービス方法を適用して、本願補正発明の相違点３に係る発明特定事項を導くことは、当業者にとって容易である。　
　なお、定期的に、所定の時刻になると占い結果をユーザに提供する、プロバイダーによる占い配信サービスについては、例えば、「ダカーポＱＲ［キューアール］　ｉモードパーフェクトスキルアップＢＯＯＫ　株式会社マガジンハウス、平成１２年７月２５日発行、第７９頁　「ハローキティの易暦」に関する記載」、「インターネットアスキー　１９９９．１２．１５　Ｎｏ．４６　株式会社アスキー、平成１１年１２月１５日発行、第６３頁　「メルマガＢＯＸ」に関する記載」に記載されているように周知技術である。そして、当該配信サービスにおいては、ユーザが、個人情報をプロバイダーのデータベースに登録し、プロバイダーのサービス提供サーバが当該個人情報に基づいた情報をデータベースより抽出し、提供していることは自明である（情報提供サービスの登録、配信サービスについては「コンピュータサイエンス誌　ｂｉｔ　共立出版株式会社、２０００年１月１日発行、ｖｏｌ．３２　Ｎｏ．１　通巻４００号、第１０４−１０５頁　「４．１　プッシュ型の情報提供」参照）。　
　
　そして、本願補正発明の効果は、引用例１及び引用例２に記載された発明に基づいて、当業者が容易に予測し得る範囲内のものである。　
　
　よって、本願補正発明は、引用例１及び引用例２に記載された発明に基づいて、当業者が容易に発明をすることができたものであるから、特許法第２９条第２項の規定により特許出願の際独立して特許を受けることができない。
　
　（５）むすび
　以上のとおり、本件補正は、特許法第１７条の２第５項で準用する同法第１２６条第５項の規定に違反するもので、特許法第１５９条第１項で読み替えて準用する特許法第５３条第１項の規定により却下されるべきものである。
　
３．本願発明について
　平成１６年１２月２４日付け手続補正は上記のとおり却下されたので、本願の請求項１に係る発明（以下、「本願発明」という。）は、平成１５年３月１７日付け手続補正書の請求項１に記載された以下のとおりのものである。　
「【請求項１】　ユーザデータを収容したデータベースと、占いの基礎データを収容したデータベースと、前記ユーザデータに基づき前記基礎データを読み出してホロスコープの法則に従いユーザ固有の占い結果を算出するコンピュータと、を備えたサーバを設け、
　前記コンピュータが、内部タイマから現在の時刻を判断して所定の時刻になると、前記各データベースの前記ユーザデータ及び前記基礎データをアクセスし、これらのデータに基づいて現時点の該当するメッセージを前記基礎データから抽出し組み合わせて占い結果のメッセージを作成し、当該メッセージを前記サーバが該当ユーザの操作可能なクライアントへ配信するようにしたことを特徴とする運勢情報の提供方法。」　
　
４．引用例　
　原査定の拒絶の理由に引用された引用例１及び引用例２の記載事項は、前記「２．（２）刊行物」に記載したとおりである。
　
５．対比・判断　
　本願発明は、平成１６年１２月２４日付けの手続補正によって補正が行われなかった請求項であるから、上記「２．（１）」補正後の本願発明」で述べた本願補正発明１と同じ発明特定事項により特定された発明である。　
　したがって、本願発明も、本願補正発明と同様に、引用例１及び引用例２に記載された発明に基づいて、当業者が容易に発明をすることができたものであるから、特許法第２９条第２項の規定により特許を受けることができない。　
　
６．むすび
　以上のとおり、本願発明は、引用例１及び引用例２に記載された発明に基づいて、当業者が容易に発明をすることができたものであるから、特許法第２９条第２項の規定により特許を受けることができない。　
　よって、結論のとおり審決する。